【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
近位端、遠位端及び長手方向軸線を有する拡張式ステントであって、
ａ)ステントの長手方向軸線に沿って配置され、相互にほぼ位相が合っている複数のループ周帯と、
ｂ）各隣接する対の周帯の間に配置された複数の可撓性コネクタとを備え、
各可撓性コネクタは、少なくとも２つのループと、その間に実質的に長手方向の構成要素を有する部材とを含み、かつループ周帯のループに結合した第１端と、隣接するループ周帯のループに結合した第２端とを有し、前記複数の可撓性コネクタが、前記複数のループ周帯よりも可撓性が高い拡張式ステント。
【請求項２】
可撓性コネクタが、ループ周帯の幅よりも狭い幅を有する、請求項１に記載の拡張式ステント。
【請求項３】
可撓性コネクタが、ループ周帯のゲージよりも小さいゲージを有する、請求項１に記載の拡張式ステント。
【請求項４】
ａ) 近位端、遠位端、長手方向軸線、及びステントの長手方向軸線に沿って配置された複数の相互接続された可撓列に配置された複数の相互接続された可撓性セル；
を含む拡張式ステントであって、
ｂ）前記複数のセルが、それぞれ第１の長手方向の対面するループ、第２の長手方向の対面するループ、及び２つの可撓性コネクタを備え、前記可撓性コネクタは、隣接する第１及び第２の対面するループの間に一体となって配置され、それにより可撓性セルを形成し、
ｃ）長手方向の対面するループそれぞれが、ほぼ湾曲した頂部を有し、前記頂部から延在する実質的に長手方向の構成要素を有する部分を有し、前記部分の少なくともいくつかは、長手方向に隣接するセルの壁を形成し、前記第１及び第２の長手方向の対面するループは互いにずれ、前記長手方向の対面するループのそれぞれが、半径方向に拡張するよう構成され、
ｄ）各可撓性コネクタのそれぞれが、少なくとも２つのループと、その間に実質的に長手方向の構成要素を有する部材を備え、かつステントの半径方向拡張時に長手方向に拡張するように構成され、
ｅ)前記可撓性コネクタが、前記第１及び第２の長手方向の対面するループよりも可撓性が高い、
拡張式ステント。
【請求項５】
可撓性コネクタが、第１及び第２の長手方向の対面するループの幅よりも狭い幅を有する、請求項４に記載の拡張式ステント。
【請求項６】
可撓性コネクタのゲージが、第１及び第２の長手方向の対面するループのゲージよりも小さい、請求項４に記載の拡張式ステント。
【請求項７】
可撓性コネクタの少なくとも２つのループが、同じ周方向を向いている、請求項１又は４に記載の拡張式ステント。
【請求項８】
可撓性コネクタの少なくとも２つのループが、異なる周方向を向いている、請求項１又は４に記載の拡張式ステント。
【請求項９】
各可撓性コネクタの少なくとも２つのループのそれぞれが、ほぼＵ字形である、請求項１又は４に記載の拡張式ステント。
【請求項１０】
可撓性コネクタが、３つのループと、２つの実質的に長手方向の構成要素を有する、請求項１又は４に記載の拡張式ステント。
【請求項１１】
近位端、遠位端、長手方向軸線を有する拡張式ステントであって、
ａ)ステントの長手方向軸線に沿って交互に配置される、複数の第１ループ周帯及び複数の第２ループ周帯と、
ｂ）隣接する第１及び第２のループ周帯の間に配置される複数の可撓性コネクタと、を備え、
前記複数の第１ループ周帯が、前記複数の第２ループ周帯と１８０°位相がずれ、
前記可撓性コネクタが、ほぼ周方向を向いている少なくとも１つのループを備え、前記複数の可撓性コネクタと第２ループ周帯が、第１ループ周帯よりも可撓性が高い拡張式ステント。
【請求項１２】
可撓性コネクタのループが、複数の長手方向のループ帯の部分を形成し、前記長手方向のループ帯が、第１及び第２ループのループ周帯と絡み合い、ほぼ均一な分散と構造を有する複数のセルを形成する、請求項１１に記載の拡張式ステント。
【請求項１３】
複数の可撓性コネクタと第２ループ周帯が、第１ループ周帯の幅よりも小さい幅を有する、請求項１１又は１２に記載の拡張式ステント。
【請求項１４】
複数の可撓性コネクタと第２ループ周帯が、第１ループ周帯の厚さより薄い厚さを有する、請求項１１又は１２に記載の拡張式ステント。
【請求項１５】
複数の可撓性コネクタと第２ループ周帯が、第１ループ周帯のゲージよりも少ないゲージを有する、請求項１１又は１２に記載の拡張式ステント。
【請求項１６】
ａ) 近位端、遠位端、長手方向軸線、及びステントの長手方向軸線に沿って配置された複数の相互接続された可撓性列に配置された複数の相互接続された可撓性セル、
を備える拡張式ステントであって、
ｂ）前記複数のセルそれぞれが、第１の長手方向の対面するループ、第２の長手方向の対面するループ、及び２つの可撓性コネクタを備え、前記可撓性コネクタが、隣接する第１及び第２の長手方向の対面するループの間に一体となって配置され、それにより可撓性セルを形成し、
ｃ）長手方向の対面するループがそれぞれ、ほぼ湾曲した頂部と、前記頂部から延在する実質的に長手方向の構成要素を有する部分を有し、
前記部分の少なくともいくつかは、長手方向に隣接するセルの壁を形成し、前記第１及び第２の長手方向の対面するループは、相互に対面及び対向し、前記長手方向の対面するループは、半径方向に拡張するように構成され、
ｄ）可撓性コネクタのそれぞれが湾曲し、ステントの半径方向拡張時に、長手方向に拡張するように構成され、
ｅ)第１の長手方向の対面するループと可撓性コネクタが、前記第２の長手方向の対面するループよりも可撓性が高い、
拡張式ステント。
【請求項１７】
可撓性コネクタが、第１及び第２の長手方向の対面するループの幅より狭い幅を有する、請求項１６に記載の拡張式ステント。
【請求項１８】
可撓性コネクタが、第１及び第２の長手方向の対面するループの厚さより薄い厚さを有する、請求項１６に記載の拡張式ステント。
【請求項１９】
可撓性コネクタのゲージが、第１及び第２の長手方向の対面するループのゲージよりも小さい、請求項１６に記載の拡張式ステント。
【請求項２０】
可撓性コネクタがそれぞれ、Ｕ字形ループを有する、請求項１１、１２又は１６に記載の拡張式ステント。
【請求項２１】
Ｕ字形の可撓性コネクタループが、同じ周方向を向いている、請求項２０に記載の拡張式ステント。
【請求項２２】
Ｕ字形の可撓性コネクタループが、交互に周方向を向いている、請求項２０に記載の拡張式ステント。
【請求項２３】
可撓性コネクタのそれぞれが、２つのループを備える、請求項１１、１２、又は１６に記載の拡張式ステント。
【請求項２４】
可撓性コネクタのそれぞれが、ほぼＳ字形である、請求項１１、１２又は１６に記載の拡張式ステント。
【請求項２５】
可撓性コネクタのそれぞれが、ほぼＺ字形である、請求項１１、１２又は１６に記載の拡張式ステント。
【請求項２６】
可撓性コネクタのそれぞれが、その間に屈曲区域がある少なくとも２つのほぼ直線の部分を備える、請求項１１、１２、又は１６に記載の拡張式ステント。
【手続補正２】
【補正対象書類名】明細書
【補正対象項目名】００４２
【補正方法】変更
【補正の内容】
【００４２】
図１３は、複数の相互接続されたセル１６０を有するステントパターンを示す。各セル１６０は、第１端１６５及び第２端１６６を有するループ周帯１６２の１つのループ１６４、第１端１６８及び第２端１６９を有する隣接するループ周帯１６２のループ１６７、第１端１７２及び第２端１７３がある第１ループ１７１、ほぼ直線の部材１７７と、第１端１７５及び第２端１７６がある第２ループ１７４とを有する第１可撓性コネクタ１７０、並びに第１端１８２及び第２端１８３がある第１ループ１８１、ほぼ直線の部材１８７と、第１端１８５及び第２端８１６がある第２ループ１８４とを有する第２可撓性コネクタ１８０を含む。第１可撓性コネクタ１７０は、第１ループ１７１の第１端１７２がループ１６４の第１端１６５に結合され、第２ループ１７４の第２端１７６がループ１６７の第１端１６８に結合されるように、ループ１６４と１６７の間に配置される。第２可撓性コネクタ１８０も、第１ループ１８１の第１端１８２がループ１６４の第２端１６６に結合され、第２ループ１８４の第２端１８６がループ１６７の第２端１６９に結合されるように、ループ１６４と１６７の間に配置される。